(57)【要約】【課題】本発明は、水滴の付着量が少なく乾燥効率の良い食器用かごを備えた食器洗浄機を提供することを目的とする。【解決手段】本発明は、洗浄槽と、前記洗浄槽に内置され、食器類を含む被洗浄物を載置する食器用かごと、前記被洗浄物に向けて洗浄水を噴射する洗浄ノズルと、前記洗浄槽の内底側に設けられ、洗浄水の加熱を行う加熱用ヒータとを有する食器洗浄機において、前記食器用かごは、縦向のる縦線材と、横方向に延びる横線材を組んで形成され、前記横線材は、山並みが続くよう上下に折り返され、前記山並みの山は、傾斜角度が２０度程度以上であることを特徴とする。【選択図】図５
2007181519.tif 000002
【特許請求の範囲】
【請求項１】
洗浄槽と、前記洗浄槽に内置され、食器類を含む被洗浄物を載置する食器用かごと、前記被洗浄物に向けて洗浄水を噴射する洗浄ノズルと、前記洗浄槽の内底側に設けられ、洗浄水の加熱を行う加熱用ヒータとを有する食器洗浄機において、
前記食器用かごは、縦向のる縦線材と、横方向に延びる横線材を組んで形成され、
前記横線材は、山並みが続くよう上下に折り返され、
前記山並みの山は、傾斜角度が２０度程度以上であることを特徴とする食器洗浄機。
【請求項２】
請求項１記載の食器洗浄機において、
前記山の頂部と谷部の内角を同じにしたことを特徴とする食器洗浄機。
【請求項３】
請求項１記載の食器洗浄機において、
前記山の頂部と谷部の折り曲げ半径は、谷部の方を小さくしたことを特徴とする食器洗浄機。
【請求項４】
洗浄槽と、前記洗浄槽に内置され、食器類を含む被洗浄物を載置する食器用かごと、前記被洗浄物に向けて洗浄水を噴射する洗浄ノズルと、前記洗浄槽の内底側に設けられ、洗浄水の加熱を行う加熱用ヒータとを有する食器洗浄機において、
前記食器用かごは、縦向の縦線材と、上下に揃って並び横方向に延びる複数の横線材を組んで形成され、
前記複数の横線材は、山並みが続くよう上下に折り返され、
前記山並みの山は、２０度程度以上の傾斜角度に形成され、
前記縦線材の上端側を上側に位置する前記横線材の谷部に結合し、前記縦線材の下端側を下側に位置する前記横線材の頂部に結合したことを特徴とする食器洗浄機。
【請求項５】
請求項４記載の食器洗浄機において、
前記山の頂部と谷部の内角を同じにしたことを特徴とする食器洗浄機。
【発明の詳細な説明】
【技術分野】
【０００１】
本発明は、食器乾燥時に食器用かごに付着する水滴の総体積を少なくし、乾燥効率を向上させた食器洗浄機に関するものである。
【背景技術】
【０００２】
洗浄槽の天板に付着した水滴の落下防止改良については、特開２００４−２８３４６８号公報（特許文献１）に記載されている。
【０００３】
【特許文献１】特開２００４−２８３４６８号公報
【発明の開示】
【発明が解決しようとする課題】
【０００４】
食器洗浄機は、加熱すすぎ終了後には食器用かご、食器、洗浄槽内面等に水滴が残る。また、乾燥用ファンにより温風を送風するが加熱すすぎ直後は７０〜８０℃あった洗浄槽内の温度は急激に低下し、結露した結露水が食器用かご、食器、洗浄槽内に付着する。
【０００５】
このため、結露水の水滴量が多いと乾燥工程に入っても乾燥工程時間内では水滴状態の水分を完全に蒸発乾燥させることが出来ない。そのまま残り、食器用かごに付着していた水滴が食器を取り出すときに滴下して乾燥した食器を濡らす。また、洗浄槽内温度が上がらず乾燥効率が著しく低下する問題があった。
【０００６】
本発明は、上記した問題点を解決し、水滴の付着量が少なく乾燥効率の良い食器用かごを備えた食器洗浄機を提供することを目的とする。
【課題を解決するための手段】
【０００７】
本発明は、洗浄槽と、前記洗浄槽に内置され、食器類を含む被洗浄物を載置する食器用かごと、前記被洗浄物に向けて洗浄水を噴射する洗浄ノズルと、前記洗浄槽の内底側に設けられ、洗浄水の加熱を行う加熱用ヒータとを有する食器洗浄機において、前記食器用かごは、縦方向に延びる線材と、横方向に延びる線材を組んで形成され、前記横方向の線材は、山並みが続くよう上下に折り返され、前記山並みの山は、傾斜角度が２０度程度以上であることを特徴とする。
【発明の効果】
【０００８】
本発明によれば、加熱すすぎ終了後に、食器用かごを形成する横方向に延びる線材に付着した水滴は、山の傾斜を伝わって頂部から谷部に下り、谷部のみに溜まる。このため、山並のない真っ直ぐ延びた従来の構成のものに比べ、残る水滴量が大幅に減少し、水滴落下による食器の濡れが少なくなるとともに、同じ乾燥時間であれば乾燥効率を向上することができる。
【発明を実施するための最良の形態】
【０００９】
本発明の実施例を図を引用して説明する。
【００１０】
図１に本発明の一実施例である食器洗浄機の正面図を示す。
【００１１】
食器洗浄機は、前面にドア開閉用の押しボタン１を有する。このドア開閉用の押しボタン１を押すことにより、ドアロックが解除される。取っ手２が付いている下扉３を手前に引くことにより、下扉３と上扉４がほぼ同時に開く。
【００１２】
また、下部には操作表示部５があり、電源スイッチ６をオンしてコース７を選択後、スタートスイッチ８を押すことにより、食器洗浄機は運転を開始する。
【００１３】
図２は本発明の一実施例である食器洗浄機の縦断面図を示す。
【００１４】
洗浄槽２１の下部には、洗浄槽内に貯留した洗浄水を吸込み加圧して吐出する洗浄ポンプ兼排水ポンプ２２と加圧された洗浄水を上かご２３と下かご２４に向けて洗浄水を噴射する洗浄ノズルが具備されている。
【００１５】
本実施例では食器用かごは上かご２３と下かご２４の２種類で構成されている。洗浄ノズルは本実施例では上ノズル２５と下ノズル２６が設けられている。上ノズル２６は固定ノズルとなっているが回転ノズルでもよい。
【００１６】
また、洗浄ノズルは上かご２３の下部正面または側面に設けてもよく位置及び個数については自由である。本図には示されていないが、水流切り替え装置により各々の洗浄ノズルに独立して洗浄水を切り替えることができる。
【００１７】
洗浄ポンプ兼排水ポンプ２２により加圧された洗浄水を洗浄ノズルにより食器２７に噴射することにより食器２７に付着した残菜や汚れを洗浄し、残菜を残菜フィルタ２８でこし取っている。
【００１８】
こし取られた洗浄水は洗浄ポンプ兼排水ポンプ２２により循環をしながら、上かご２３と下かご２４に収納されている食器２７を洗浄する。前記、残菜フィルタ２８の下部には洗浄水を加熱するための加熱用ヒータ２９がある。
【００１９】
洗浄、すすぎの終了に、食器２７を乾燥するための送風を行なう乾燥用ファン３０がある。乾燥用ファン３０からの送風は温風用ヒータ３１により暖められて食器２７を乾燥させる。
【００２０】
温風用ヒータ３１の熱源にはＰＴＣを使用している。過熱に対して抵抗が大きくなり入力が小さくなり安全方向に働く。また、乾燥用ファン３０の空気取り入れ口には湿度センサー３２及び外気温度センサー３４が取付けられており、外気の湿度及び温度を検知している。
【００２１】
洗浄槽２１の内部には洗浄槽内の温度を検知するためのサーミスタ３３が取付けられている。サーミスタ３３の固定は、従来は、洗浄槽２１を成形するときに樹脂で一体成形して洗浄槽２１の外側に取付けられていた。温度の検知感度が熱伝導の悪い樹脂層を介しているため時間遅れが大きくなり、検出誤差が大きくなった。検出誤差を抑えるために、サーミスタ３３を直接洗浄槽内に突き出す構造とした。
【００２２】
このため、耐食性のよいステンレスやセラミックなどで外郭を構成したものを使用している。
【００２３】
図３に食器洗浄機の運転工程を示す。
【００２４】
電源スイッチ６をオン後、コースを設定し、スタートスイッチ８を押すと自動的に洗い、すすぎ（１）、すすぎ（２）、加熱すすぎ、乾燥が行なわれ自動的に停止する。洗いは洗浄水の温度を加熱用ヒータ２９で約６５℃程度まで上げている。常温の２０℃からでは約２５分程度要している。
【００２５】
また、加熱すすぎでは洗浄水の温度を約（７０〜８０）℃まで上げて、食器に余熱をもたせて乾燥工程での乾燥時間の短縮と食器の殺菌を図っている。乾燥は温風用ヒータ３１を動作させて、乾燥用ファン３０からの送風を加熱した熱風を洗浄槽内に循環させて、食器等に付着した洗浄水を蒸発させて外部に排気している。
【００２６】
図４に食器洗浄機の制御回路を示す。
【００２７】
商用電源４０は、コンセント４１、電源スイッチ６、電源ヒューズ４２を介して各種負荷、直流電源用整流回路４３に接続される。マイコンを主体とした主制御回路４４、駆動回路４５には直流電源用整流回路４３より低圧の直流電源が供給される。駆動回路４５は本実施例の場合、主としてリレーを使用している。
【００２８】
また、直流電源用整流回路４３はスイッチング電源を使用している。温度検知用のサーミスタ３３、湿度センサー３２、外気温度センサー３４、水位センサー４８の検知信号は、主制御回路４４に読まれて各種の制御が行なわれる。
【００２９】
操作表示部５は主制御回路４４の指示により、食器洗浄機の運転に関する表示が行なわれる。各種負荷は全負荷スイッチ４９を介して商用電源４０に接続される。シーズヒータを用いた加熱用ヒータ２９には直列にサーモスイッチ５０、温度ヒューズ５１、サーモスイッチ５２が接続されている。
【００３０】
サーミスタ３３は、洗い、すすぎのときには洗浄水の水温を検知し、加熱用ヒータ２９をオン・オフさせて水温を制御している。また、乾燥時には洗浄槽内の温度を検知している。全負荷スイッチ４９は駆動回路４５により主制御回路４４の指示に従ってオン・オフの動作が行なわれる。
【００３１】
給水電磁弁５３は、給水電磁弁スイッチ５３Ａを駆動回路４５により主制御回路４４の指示に従ってオン・オフの動作が行なわれる。切換弁用モータ５４（図示せず）は切換弁用モータスイッチ５４Ａを駆動回路４５により主制御回路４４の指示に従ってオン・オフの動作が行なわれる。
【００３２】
洗浄ポンプ兼排水ポンプ２２は正逆回転により、洗浄ポンプ及び排水ポンプとして機能し、洗浄ポンプスイッチ２２Ａ、排水ポンプスイッチ２２Ｂを駆動回路４５により主制御回路４４の指示に従ってオン・オフの動作が行なわれる。
【００３３】
乾燥用ファン駆動用のトランス５５は、一次側が全負荷スイッチ４９を介して商用電源４０に接続されている。トランス５５の二次側には整流器５６、乾燥用ファン３０、乾燥ファン用スイッチ３０Ａが接続され、駆動回路４５により主制御回路４４の指示に従ってオン・オフの動作が行なわれる。
【００３４】
図５に下かご２４の正面図を示す。
【００３５】
下かご２４は、横方向に延びる下側の横線材７０と、横方向に延びる上側の横線材７１と、縦向きの縦線材７４と、傾斜線材７５を組んで形成される。線材の結合は、溶接固定により行われる。
【００３６】
横線材７１は、山並みが続くよう上下に折り返した形状を有する。縦線材７４は、下側の横線材７０と上側の横線材７１に掛け渡すように置かれる。
【００３７】
横線材７１の山並みの山は、傾斜角度Θが２０度程度ないし、それ以上の急勾配にする。また、傾斜線材７５の傾斜角度Θも横線材７１の山と同様な勾配にする。
【００３８】
横線材７１の山は、頂部７２と谷部７３を有する。掛け渡す縦線材７４は、上端側が横線材７１の谷部７３と、下端側が横線材７０に溶接により結合される。短い横線材の場合は、傾斜線材７５のように上下に折り返す山形の構成にしなくてもよい。
【００３９】
横線材７１、傾斜線材７５は、２０度以上の傾斜角度を有するので、ここに付着した水滴を谷部７３や下部に流下し、付着する水滴量を大幅に低減できる。乾燥後に食器かごから水滴が落下するのを少なくすることができる。また、乾燥時間の短縮や乾燥率の向上を図ることができる。
【００４０】
各々の線材は、表面がコーティング材で被覆されている。線材表面を構成する材料、表面状態等及び温度により異なるが、本実施例では鉄線にナイロンをコーティングした線材を使用している。この線材の場合は、水滴の流下が常温では傾斜角度Θ＝約４５度、５０℃では傾斜角度Θ＝２０度程度で生じる。温度の高い方が小さな傾きでも水滴は流下する。
【００４１】
この要因は、温度が上がると水滴の表面張力が小さくなるとともに粘性も低下するため少ない傾斜角度で流れるためである。
【００４２】
また、縦線材７４は横線材７０と横線材７１の構造部材として使用されており、横線材７０と谷部７３を最短距離で固定されているので機械強度を低下することなく、縦線材７４の使用材料を低減することができる。
【００４３】
図６は食器用かごを構成する線材に付着する水滴付着状態の比較を示している。
【００４４】
図示の上側が傾斜させた線材、下側が真っ直ぐ延びた線材を示す。
【００４５】
水滴７６の付着状態では傾斜させたものでは谷部７３の一個所のみである。真っ直ぐ延びた線材は水滴７６が連なって付着しており、同じ長さの範囲では約６倍程度水滴７６の総体積は増加している。
【００４６】
また、傾斜させた線材は頂部７２の内側半径をＲ１、谷部７３の内側半径をＲ２との関係はＲ１＞Ｒ２としている。
【００４７】
こうすることにより、頂部７２に付着した水滴７６はある程度体積が大きくなると線材の傾斜面７４を伝わって谷部７３に溜まるが、頂部７２の内側半径をＲ１は大きくてもこの部分に付着した水滴は不安定なので左右どちらかの傾斜面７４を伝わって流下する。このため、Ｒ１は比較的大きくとっても水滴を谷側部７３に流すことができる。
【００４８】
また、谷部７３の内側半径Ｒ２は水滴が溜まる部分のため、Ｒ２が小さいほど水滴との接触角度が小さくなるので水滴７６の体積を小さくすることができる。
【００４９】
このため、Ｒ２はできるだけ小さくした方がよいが、あまり小さくすると折り曲げ部の断面が変形し、円形に保ちづらいので生産性が悪くなる。１Ｒ（ｍｍ）〜３Ｒ（ｍｍ）程度におさえている。
【００５０】
図７に乾燥時間―洗浄槽内温度特性を示す。
【００５１】
従来例の食器用かごを使用したときの特性は曲線Ａのようになり、この時の、乾燥率は６０〜７０％程度となっている。乾燥直前の槽内温度は加熱すすぎにより約７５〜８０℃に加熱された洗浄水を使用しているので、ほぼこの洗浄水の温度になっている。
【００５２】
このため、この温度がスタートになり送風時間とともに低下していく。これは、温風ヒータヒータ３１による熱風では洗浄槽内、上かご２３、下かご２４及び食器２７に付着した水分を蒸発させる熱量に使用されるので洗浄槽内の温度を上げるに至らないためである。
【００５３】
ある程度、付着した水分が蒸発すると洗浄槽内の温度は上がっていく。乾燥時間は２５分としているがこの時間でのＡ曲線での洗浄槽内の温度は約４２℃となっている。
【００５４】
また、本実施例の食器かごを使用したときの特性は曲線Ｂのようになり同じ乾燥時間の２５分で比較すると５０℃と大幅に増加する。この時の乾燥率は約７０〜８０％に上昇している。
【００５５】
食器用かごに洗浄水が水滴となって付着する工程で乾燥率に影響を与える工程は加熱すすぎ以降である。加熱すすぎの工程では洗浄水を加熱用ヒータ２９により７０〜８０℃まで上昇させる。これにより殺菌及び乾燥工程における乾燥効率を上げている。
【００５６】
すなわち、食器用かご及び食器２７の温度を上げることにより熱量の蓄積量を増加して水滴の蒸発熱量として使用している。また、乾燥時の温風用ヒータ３１による熱量は加熱すすぎ直後の熱量に比較して大幅に小さいので水滴の蒸発に使用される熱量を考慮すると急激に洗浄槽内の温度は低下していく。
【００５７】
この時、表面に薄くついた洗浄水から蒸発し、最後には水滴部分が残るが、水滴部分は表面積が小さいので蒸発させるための熱が伝わりにくいため、水滴のみが残っている状態では洗浄槽内の温度が上がっていくがこの上昇温度は水滴が少ないほど高くなる。本実施例ではこの上昇温度を高めにすることにより、水滴の表面張力及び粘度を低下させ、これにより傾斜角度の低減を図っている。
【００５８】
なお、傾斜角度を小さくすると側面部線材７１の長さが短くなるので材料費が少なくすることができる。
【００５９】
図８は下側にも山並の横線材を使用した食器用かごを備えた食器洗浄機の正面断面図を示す。
【００６０】
上かご２３Ａ、下かご２４Ａには下側に山並みの横線材８０を使用している。両者とも上下に山並みの横線材を使用しているので上側の谷部７３、下側の頂部７２を縦線材７３で溶着固定することにより、底部に横線材７０（図５に示す）を使用したときよりも両者の距離が短くなるので、更に縦線材７３を低減することができる。
【００６１】
下かご２４Ａの場合は、図示はしていないが正面から奥側の方向にも線材が配置されているが皿の場合は、谷部に皿を位置決め固定できるので同様に山並みの横線材を使用できる。また、同様に上かご２３Ａにも汁椀、湯呑を置けるように複数個の間隔をした山並みの横線材を組み合わせて構成することができる。
【００６２】
これにより、下側に真っ直ぐ延びた横線材７０を使用したときに比較して食器用かごに付着する水滴量を更に低減できるので乾燥率の向上及び乾燥時間の低減が出来る。
【図面の簡単な説明】
【００６３】
【図１】本発明の一実施例である食器洗浄機の正面図を示す。
【図２】本発明の一実施例である食器洗浄機の縦断面図を示す。
【図３】本発明の一実施例である食器洗浄機の運転工程を示す。
【図４】本発明の一実施例である食器洗浄機の制御回路のブロック図を示す。
【図５】本発明の一実施例である食器洗浄機の下かごの正面図を示す。
【図６】本発明の一実施例である食器洗浄機の下かごの部分図を示す。
【図７】従来例と本発明の実施例の乾燥時間―洗浄槽内温度特性を示す。
【図８】本発明の一実施例である底部に傾斜線材を使用した食器用かごを備えた食器洗浄機の正面断面図を示す。
【符号の説明】
【００６４】
２１…洗浄槽、２３…上かご、２４…下かご、２５…上ノズル、２６…下ノズル、２７…食器、２９…加熱用ヒータ、７１…横線材。
【図１】
2007181519.tif 000003
【図２】
2007181519.tif 000004
【図３】
2007181519.tif 000005
【図４】
2007181519.tif 000006
【図５】
2007181519.tif 000007
【図６】
2007181519.tif 000008
【図７】
2007181519.tif 000009
【図８】
2007181519.tif 000010